(57)【要約】【課題】電卓等の数値計算に関するアプリケーションを使用する際の利便性を向上させることを目的とする。【解決手段】ノートＰＣ１は、第１筐体２と第２筐体３とを備え、第１筐体２に対して第２筐体３が開閉可能に連結された構成とされている。ノートＰＣ１は、第２筐体３に設けられたメインディスプレイ８と、第１筐体２において第２筐体３の端部側に沿って設けられたサブディスプレイ１０と、第１筐体２に設けられた数値キーとしての機能を有するタッチパッド６とを備えている。ノートＰＣ１は、計算に関するアプリケーションが起動された場合に、計算に関するアプリケーションのウィンドウをサブディスプレイ１０に表示する表示制御部を備える。【選択図】図１
2020140471.tif 000002
【特許請求の範囲】
【請求項１】
第１筐体と第２筐体とを備え、前記第１筐体に対して前記第２筐体が開閉可能に連結された構成された情報処理装置であって、
前記第２筐体に設けられたメインディスプレイと、
前記第１筐体において前記第２筐体の端部側に沿って設けられたサブディスプレイと、
前記第１筐体に設けられた数値キーと、
数値計算に関するアプリケーションが起動された場合に、前記数値計算に関するアプリケーションのウィンドウを前記サブディスプレイに表示する表示制御部と
を具備する情報処理装置。
【請求項２】
前記数値キーは、前記第１筐体の上面において側部に設けられており、
前記表示制御部は、前記サブディスプレイにおいて前記数値キーが設けられている側に前記数値計算に関するアプリケーションのウィンドウを表示させる請求項１に記載の情報処理装置。
【請求項３】
前記表示制御部は、前記数値計算に関するアプリケーションの起動中に得られた過去の計算結果を前記サブディスプレイに表示させる請求項１または２に記載の情報処理装置。
【請求項４】
前記表示制御部は、複数の前記計算結果を整列して同時に前記サブディスプレイに表示させる請求項３に記載の情報処理装置。
【請求項５】
前記ウィンドウは、前記数値キーからの入力に応じて計算式が表示される第１表示領域を含み、
前記表示制御部は、複数の前記計算結果のうち、直近の計算結果ほど前記第１表示領域に近い位置に表示する請求項４に記載の情報処理装置。
【請求項６】
前記表示制御部は、前記サブディスプレイに表示されている過去の計算結果が選択された場合に、選択された前記過去の計算結果を計算式に変数として反映させる請求項３から５のいずれかに記載の情報処理装置。
【請求項７】
前記第１筐体に設けられたタッチパッドを備え、
前記タッチパッドは、タッチパッドとして機能するタッチパッドモードと前記数値キーとして機能する数値キーモードとを有し、
前記タッチパッドモードから前記数値キーモードに切り替えられた場合に、前記数値計算に関するアプリケーションを起動させる請求項１から６のいずれかに記載の情報処理装置。
【請求項８】
前記第１筐体に設けられたタッチパッドを備え、
前記タッチパッドは、タッチパッドとして機能するタッチパッドモードと前記数値キーとして機能する数値キーモードとを有し、
前記数値計算に関するアプリケーションが起動された場合に、前記タッチパッドにおいて前記数値キーモードが設定される請求項１から７のいずれかに記載の情報処理装置。
【発明の詳細な説明】
【技術分野】
【０００１】
本発明は、情報処理装置に関するものである。
【背景技術】
【０００２】
一般的に、ディスクトップ型ＰＣやノート型ＰＣ等の情報処理装置には、電卓のアプリケーションソフトウェアが搭載されている。
【発明の概要】
【発明が解決しようとする課題】
【０００３】
上記のような情報処理装置において電卓を使用する場合、タッチタイピングなどが不慣れなユーザにおいては、キーボード等の入力手段とディスプレイの画面とを交互に確認しながら入力を行う必要があった。このため、ユーザの視線の移動距離が大きく、利便性の向上が望まれていた。
【０００４】
本発明は、このような事情に鑑みてなされたものであって、電卓等の数値計算に関するアプリケーションを使用する際の利便性を向上させることのできる情報処理装置を提供することを目的とする。
【課題を解決するための手段】
【０００５】
本発明の一態様は、第１筐体と第２筐体とを備え、前記第１筐体に対して前記第２筐体が開閉可能に連結された構成された情報処理装置であって、前記第２筐体に設けられたメインディスプレイと、前記第１筐体において前記第２筐体の端部側に沿って設けられたサブディスプレイと、前記第１筐体に設けられた数値キーと、計算に関するアプリケーションが起動された場合に、前記計算に関するアプリケーションのウィンドウを前記サブディスプレイに表示する表示制御部とを具備する情報処理装置である。
【発明の効果】
【０００６】
本発明によれば、電卓等の数値計算に関するアプリケーションを使用する際の利便性を向上させることができるという効果を奏する。
【図面の簡単な説明】
【０００７】
【図１】本発明の一実施形態に係るノートＰＣの概略外観図である。
【図２】本発明の一実施形態に係るノートＰＣにおいて、テンキーモードのときにタッチパッドに表示されるキー構成及びキー配列の一例を示した図である。
【図３】本発明の一実施形態に係るノートＰＣのハードウェア構成を概略的に示した図である。
【図４】本発明の一実施形態に係るノートＰＣが備える数値計算機能に関する機能構成を模式的に示した機能構成図である。
【図５】本発明の一実施形態に係るサブディスプレイに表示される電卓のウィンドウの一例を示した図である。
【図６】本発明の一実施形態に係るサブディスプレイに表示される電卓のウィンドウの一例を示した図である。
【図７】本発明の一実施形態に係るサブディスプレイに表示される電卓のウィンドウの一例を示した図である。
【発明を実施するための形態】
【０００８】
以下に、本発明の一実施形態に係る情報処理装置について、図面を参照して説明する。
図１は、本発明の一実施形態に係るノートＰＣ１の概略外観図である。図１に示すように、ノートＰＣ１は、いずれも略直方体である第１筐体２及び第２筐体３を備える、いわゆるクラムシェル型のパーソナルコンピュータである。第１筐体２及び第２筐体３は、例えば、それぞれの端部またはその近傍において連結部９ａによって連結されている。連結部９ａは、例えば、ヒンジであり、第１筐体２及び第２筐体３を開閉可能に支持している。
【０００９】
第１筐体２には、第２筐体３の端部側に沿ってサブディスプレイ１０が設けられている。サブディスプレイ１０は、例えば、連結部９ｂによって第１筐体２に連結されている。連結部９ｂは、例えば、ヒンジである。サブディスプレイ１０は、閉じた状態で第１筐体２の上面に設けられた収容部１１に収容可能とされ、開いた状態で収容部１１の収容面とサブディスプレイ１０の裏面（表示画面が設けられていない方の面）とのなす角度θが、例えば、２°≦θ２≦４０°の範囲となるように構成されている。
【００１０】
サブディスプレイ１０は、例えば、第１筐体２に対して第２筐体３が開いているときに、第１筐体２に対して開くように構成されている。サブディスプレイ１０は、手動で連結部９ｂ回りに回動するように構成されていてもよい。この場合、連結部９ｂとしては、所定の角度でサブディスプレイ１０を保持できるトルクヒンジなどを好適に用いることができる。また、バネなどの付勢部材を用いてサブディスプレイ１０を上方付勢状態としてもよい。この場合、第２筐体３が閉じられるときに、第２筐体３がサブディスプレイ１０を下方に押圧して収容部１１に収容させることができ、第２筐体３が開かれたときに、第２筐体３に連動して、自動的にサブディスプレイ１０を立ち上げることができる。
【００１１】
第１筐体２には、入力装置４が設けられている。入力装置４は、ユーザが入力操作を行うためのユーザインターフェースである。図１には、入力装置４の一例として、文字、コマンド等を入力する各種キーより構成されるキーボード５及びタッチパッド６が示されている。また、入力装置４は、マウス、トラックポイント等を備えていてもよい。
【００１２】
キーボード５は、第１筐体２の上面において、サブディスプレイ１０を介して第２筐体３とは反対側に設けられている。例えば、キーボード５は、第１筐体２の上面においてほぼ中央部に設けられている。キーボード５は、ソフトウェアキーボードでもよいし、物理キーで構成されていてもよい。
【００１３】
タッチパッド６は、第１筐体２の上面において側部に設けられている。図１では、タッチパッド６は、第１筐体２の上面においてキーボード５の右側に設けられているが、この例に限定されず、キーボード５の左側に設けられていてもよい。
【００１４】
タッチパッド６は、例えば、３Ｄタッチ（スリーディータッチ）を実現するタッチパッド６とされていてもよい。例えば、タッチパッド６の操作面の下面には感圧センサが設けられており、感圧センサにより接触面に対する接触圧力が検出可能とされている。圧力を検出する具体的構成は感圧センサに限定されず、他のセンサにより接触面における指等の指示体の接触圧力を検出することとしてもよい。
また、タッチパッド６は、感圧センサに代えて、又は加えて、静電容量式、抵抗膜式、又は電磁誘導式のタッチセンサを備え、操作面における入力操作を検知するような構成とされていてもよい。
【００１５】
タッチパッド６は、カーソル操作やクリック操作等を入力するためのタッチパッドとして機能するタッチパッドモードと、数値入力を行うためのテンキーとして機能するテンキーパッドモードとを有している。これらモードの切り替えは、例えば、モード切替を指示する所定の入力操作が行われることにより切り替えられる。例えば、キーボード５が備える所定のキーが操作された場合、あるいは、モード切替用に設けられたモード切替ボタン（図示略）が操作されることによって切り替えられる。また、例えば、数値入力が必要とされるアプリケーション、例えば、電卓や表計算等の数値計算に関するアプリケーションが起動されたときに、自動的にテンキーモードに設定されることとしてもよい。また、音声入力を可能とした情報処理装置であれば、モード切替の所定の音声が入力された場合に、モードを切り替えてもよい。
【００１６】
タッチパッド６の下方には、バックライトが設けられている。テンキーモードのときには、バックライトが点灯することにより、図２に示すように、各数字キー等が視認可能とされ、ユーザにより各キーが押下されることにより、そのキーに応じた入力信号が出力されることとなる。なお、図２に示したキー配列やキー構成は一例であり、この例に限定されない。例えば、電卓等の数値計算に適したキー構成、例えば、演算記号等がより充実したキー構成としてもよい。
【００１７】
第２筐体３には、画像を表示するメインディスプレイ８が設けられている。メインディスプレイ８は、第２筐体３が第１筐体２に対して閉じられた状態で、サブディスプレイ１０と対向する面上に配置されている。
【００１８】
図３は、本実施形態に係るノートＰＣ１のハードウェア構成を概略的に示した図である。ノートＰＣ１は、ＣＰＵ（Central  Processing  Unit）２０、ＲＯＭ（Read  Only  Memory）２１、メモリ２２、フラッシュメモリ２３、グラフィクスアダプタ２４、メインディスプレイ８、サブディスプレイ１０、通信デバイス２５、電源回路２６、エンベデッドコントローラ（以下「ＥＣ」という。）２７を備えている。これら各部は、バス２８を介して接続されている。ＥＣ２７には、キーボード５およびタッチパッド６等の入力装置４が接続されている。
【００１９】
ＣＰＵ２０は、バス２８を介して接続されたフラッシュメモリ２３に格納されたＯＳ（Operating  System）によりノートＰＣ１全体の制御を行うとともに、フラッシュメモリ２３に格納された各種のプログラムに基づいて処理を実行する。
【００２０】
ＲＯＭ２１は、ＢＩＯＳ（Basic  Input/Output  System：基本入出力システム）や各種データ等を格納している。
メモリ２２は、キャッシュメモリやＲＡＭ（Random  Access  Memory）で構成されている。メモリ２２は、ＣＰＵ２０の実行プログラムの読み込み、及び実行プログラムによる処理データの書き込みを行う作業領域として利用される書き込み可能なメモリである。
【００２１】
フラッシュメモリ２３は、ノートＰＣ１の全体の制御を行うためのマルチウィンドウのＯＳ、周辺機器類をハードウェア操作するための各種ドライバ、ユーティリティプログラム、各種アプリケーションプログラム等を記憶する。なお、ノートＰＣ１は、フラッシュメモリ２３に替わる記憶手段としてＨＤＤ（Hard  Disk  Drive）等、他の記憶手段を備えてもよい。
【００２２】
グラフィクスアダプタ２４は、ＣＰＵ２０の制御に従って、表示情報をビデオ信号に変換し、変換したビデオ信号をメインディスプレイ８やサブディスプレイ１０に出力する。
【００２３】
メインディスプレイ８は、例えば、ＬＣＤ（Liquid  Crystal  Display）または有機ＥＬディスプレイ等であり、ＣＰＵ２０の制御に従って、グラフィクスアダプタ２４からのビデオ信号を画像として表示する。また、メインディスプレイ８は、入力機能を備えたタッチパネルとして構成されていてもよい。
【００２４】
サブディスプレイ１０は、例えば、ＬＣＤ（Liquid  Crystal  Display）または有機ＥＬディスプレイ等であり、ＣＰＵ２０の制御に従って、グラフィクスアダプタ２４からのビデオ信号を画像として表示する。サブディスプレイ１０は、タッチセンサを備えたタッチパネルとして構成されていてもよいし、タッチ機能のないディスプレイとされていてもよい。
【００２５】
通信デバイス２５は、他のデバイスとの間との通信を行う。
電源回路２６は、ＡＣアダプタ、電池、電池を充電するための充電器、及びＤＣ／ＤＣコンバータ等を備えており、ＣＰＵ２０の制御に従って、各構成に電力を供給する。
ＥＣ２７は、キーボード５やタッチパッド６におけるユーザの入力操作に応じた入力信号をＣＰＵ２０に出力する。
【００２６】
図３に示したノートＰＣ１の構成や接続例は一例であり、この例に限定されない。
例えば、メインディスプレイ８、サブディスプレイ１０は、グラフィクスアダプタ２４を介さずに、直接的にバス２８に接続されていてもよい。
また、例えば、タッチパッド６は、ＥＣ２７を介さずにバス２８に直接的に接続されていてもよい。
【００２７】
図４は、本実施形態に係るノートＰＣ１が備える数値計算機能に関する機能構成を模式的に示した機能構成図である。
図３に示すように、本実施形態に係るノートＰＣ１は、数値計算実行部３１、記憶部３２、表示制御部３３を備えている。これら各部によって実現される機能は、例えば、ＣＰＵ２０がフラッシュメモリ２３に格納されている各種プログラム（例えば、数値計算プログラム）をメモリ２２に読み出して実行することにより実現される。なお、数値計算プログラムは、ＲＯＭ２１やその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００２８】
数値計算実行部３１は、入力装置４から入力される入力信号に基づいて、数値計算に関する種々の処理を実行する。例えば、数値計算実行部３１は、フラッシュメモリ２３に格納されている電卓や表計算等の数値計算に関するアプリケーションを実行することにより実現される。
【００２９】
記憶部３２は、数値計算実行部３１によって演算された演算結果を保存する。
表示制御部３３は、数値計算実行部３１から出力される表示信号に基づいてサブディスプレイ１０に計算式や演算結果等の各種表示を行う。
【００３０】
次に、上述した数値計算機能に関する処理について簡単に説明する。なお、以下の説明においては、説明の便宜上、数値計算アプリケーションの一例として「電卓」のアプリケーションが起動された場合を例示して説明する。
また、電卓計算機能は、「電卓」のアプリケーションの起動指令が入力された場合に開始され、「電卓」のアプリケーションの終了指令が入力された場合に終了する。
「電卓」のアプリケーションの起動指令は、例えば、ユーザがマウスなどの入力装置４を操作し、「電卓」のアイコンなどがダブルクリックされること等によって入力される。また、例えば、タッチパッド６がテンキーパッドモードに切り替えられた場合に、自動的に「電卓」のアプリケーションの起動指令が入力されるようにしてもよい。
【００３１】
まず、「電卓」のアプリケーションが起動されると、表示制御部３３は電卓のアプリケーションウィンドウ（以下、単に「ウィンドウ」という。）をサブディスプレイ１０に表示させる。図５にサブディスプレイ１０の表示例を示す。図５に示すように、電卓のウィンドウ４０は、計算式や演算結果が表示される第１表示領域４１と、前回までの演算結果の履歴が表示される第２表示領域４２とを含んでいる。
【００３２】
図６に示すように、表示制御部３３は、電卓のウィンドウ４０をサブディスプレイ１０においてテンキー（タッチパッド６）が配置される側、すなわち、本実施形態においては、右側に表示させる。これにより、ユーザが数値入力を行うテンキーが配置されているタッチパッド６の近くに電卓のウィンドウ４０が表示されることとなるので、電卓のウィンドウ４０がサブディスプレイ１０の反対側に表示される場合やメインディスプレイ８に表示される場合に比べて、ユーザの視線の移動距離を小さくすることができる。これにより、数値入力の利便性を向上させることができる。
更に、ウィンドウ４０における第１表示領域４１は、第１筐体上においてタッチパッド６が配置されている位置の延長線上に表示されるとよい。これにより、更に、ユーザの視線の移動距離を小さくすることができる。例えば、図１に示すように、タッチパッド６が第１筐体２の右側部に配置されている場合、第１表示領域４１は、図６に示すように、第２表示領域４２の右側に配置されるとよい。
【００３３】
続いて、タッチパッド６におけるテンキーから数値や演算記号等の入力がされると、数値計算実行部３１は入力された数値や演算記号を表示制御部３３に出力する。これにより、サブディスプレイ１０に表示された電卓のウィンドウ４０の第１表示領域４１には、ユーザの入力に応じた計算式が表示されることとなる。そして、テンキーの「Ｅｎｔｅｒキー」等の所定のキーが操作されることにより演算実行の指示が入力されると、数値計算実行部３１は、入力された計算式に基づく計算を行い、計算結果を表示制御部３３を介してウィンドウ４０の第１表示領域４１に表示させるとともに、履歴情報として記憶部３２に格納する。
【００３４】
続いて、ユーザにより更に数値や演算記号の入力がされると、数値計算実行部３１は、入力された数値や演算記号等に基づく計算式をウィンドウ４０の第１表示領域４１に表示させるとともに、記憶部３２に記憶した前回の演算結果を表示制御部３３を介してウィンドウ４０の第２表示領域４２に表示させる。
【００３５】
そして、ユーザによって複数の計算式の入力と演算実行の指示とが繰り返し行われることにより、図６に示すように、ウィンドウ４０の第１表示領域４１には現在入力されている計算式が表示されるとともに、第２表示領域４２には今までの計算結果の履歴が表示されることとなる。なお、第２表示領域４２には、計算結果だけでなく、その計算結果を得るために入力された計算式を共に表示することとしてもよい。
【００３６】
また、計算結果は最新のもののみを表示する態様の他、過去の複数の計算結果を履歴情報として表示することとしてもよい。また、複数の計算結果を履歴情報として表示する場合には、例えば、古い計算結果ほど第１表示領域４１から遠ざかる方向、換言すると、第１筐体２においてタッチパッド６が配置されている側から反対の方向（すなわち、図６においては、矢印Ａで示したようにサブディスプレイ１０において右側から左側の方向）に向けて配置することとしてもよい。また、古い計算結果ほど、サブディスプレイ１０において、第２筐体側に配置されることとしてもよい。また、これらの組み合わせによって、複数行列で計算結果を履歴情報として表示することとしてもよい。
このように配置することで、最新の計算結果をサブディスプレイ１０における第１表示領域４１に近い場所に表示させることが可能となる。この結果、履歴情報を再利用しやすい配置とすることができ、利便性を向上させることができる。
【００３７】
また、過去の計算結果の表示態様については、上述した例に限定されず、例えば、ユーザが適宜設定可能な構成とされていてもよい。また、履歴情報として表示する計算結果の数に応じてウィンドウ４０及び第２表示領域４２は拡大／縮小が可能とされていてもよい。また、計算結果はスクロールが可能なように表示されてもよい。
【００３８】
そして、ユーザがマウスを操作することにより、あるいは、指でサブディスプレイ１０をタッチすることにより、第２表示領域４２に表示されているいずれかの計算結果の履歴が選択された場合には、数値計算実行部３１は、選択された計算結果を計算式に入力する。例えば、図６に示したウィンドウ４０において、ユーザによって「６５３」が選択された場合、数値計算実行部３１は、選択された「６５３」を第１表示領域４１に表示されている計算式に入力する。これにより、例えば、図７に示すように、「６５３」が計算式に追加されることなる。
【００３９】
このように、第２表示領域４２に表示されている計算結果の履歴がユーザによって選択された場合には、選択された計算結果が第１表示領域４１に表示される計算式に反映されるので、過去の計算結果を容易に再使用することができる。
【００４０】
そして、入力装置４から電卓のアプリケーションを終了する旨の入力がなされた場合には、数値計算実行部３１は電卓のアプリケーションを終了する。これにより、サブディスプレイ１０に表示されていたウィンドウ４０は消え、また、記憶部３２に格納されていた演算結果は消去されることとなる。
【００４１】
以上、説明してきたように、本実施形態に係るノートＰＣ１によれば、第１筐体２に設けられたサブディスプレイ１０と、第１筐体２に設けられた数値キーとを備え、数値計算に関するアプリケーションが起動された場合に、数値計算に関するアプリケーションのウィンドウ４０がメインディスプレイ８ではなく、サブディスプレイ１０に表示される。サブディスプレイ１０及び数値等を入力するための数値キーは、同じ筐体（第１筐体２）に設けられていることから、ウィンドウ４０がメインディスプレイ８に表示される場合に比べて、数値入力を行う際のユーザの視線の移動距離を低減させることができる。これにより、数値入力時における利便性を向上させることができ、入力効率の向上や入力ミスの低下が期待できる。
【００４２】
また、本実施形態において、表示制御部３３は、サブディスプレイ１０においてタッチパッド６（すなわち、数値キー）が配置されている側に数値計算に関するアプリケーションのウィンドウ４０を表示させるので、ユーザの視線の移動を更に低減することが可能となる。
【００４３】
また、本実施形態において、表示制御部３３は、数値計算に関するアプリケーションの起動中に得られた過去の計算結果をサブディスプレイ１０に表示させるので、ユーザは過去の計算結果を容易に確認することができる。
更に、表示制御部３３は、サブディスプレイ１０に表示されている過去の計算結果が選択された場合に、選択された過去の計算結果を計算式に変数として反映させるので、過去の計算結果を容易に計算式に再利用することができる。これにより、利便性をより高めることが可能となる。
【００４４】
また、本実施形態において、タッチパッドモードから数値キーモードに切り替えられた場合に、数値計算に関するアプリケーションを起動させることにより、容易に数値計算に関するアプリケーションを起動させることが可能となる。
あるいは、本実施形態において、タッチパッド６がタッチパッドモードの場合に、数値計算に関するアプリケーションが起動された場合には、タッチパッドモードからテンキーモードに切り替えることにより、モード切替を不要とすることが可能となる。これにより、ユーザは、数値入力を容易に開始することができる。
【００４５】
以上、本発明について実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。
【００４６】
例えば、本実施形態においては、ウィンドウ４０の領域内に過去の演算結果を表示させる第２表示領域４２を設けていたが、この例に限定されない。例えば、演算結果の履歴については、ウィンドウ４０の外に表示させることとしてもよい。この場合、ウィンドウ４０に関する数値計算に関するアプリケーションと、サブディスプレイ１０の表示管理を行うアプリケーションとの間で演算結果等の種々の情報の授受を行えばよい。
【００４７】
また、本実施形態では、タッチパッド６がテンキーの機能を有する場合について説明したが、数値キーはこのような構成に限定されず、数字を入力するための入力キーが第１筐体２に設けられていればよい。例えば、物理的なテンキーが第１筐体２に設けられていてもよいし、ソフトウェアキーとしてテンキーが第１筐体２に表示されることとしてもよい。また、キーボード５が有している数値キーを用いて数値等の入力を行うこととしてもよい。
【符号の説明】
【００４８】
１    ：ノートＰＣ
２    ：第１筐体
３    ：第２筐体
４    ：入力装置
５    ：キーボード
６    ：タッチパッド
８    ：メインディスプレイ
９ａ  ：連結部
９ｂ  ：連結部
１０  ：サブディスプレイ
１１  ：収容部
２０  ：ＣＰＵ
２１  ：ＲＯＭ
２２  ：メモリ
２３  ：フラッシュメモリ
２４  ：グラフィクスアダプタ
２５  ：通信デバイス
２６  ：電源回路
２８  ：バス
３１  ：数値計算実行部
３２  ：記憶部
３３  ：表示制御部
４０  ：ウィンドウ
４１  ：第１表示領域
４２  ：第２表示領域
【図１】
2020140471.tif 000003
【図２】
2020140471.tif 000004
【図３】
2020140471.tif 000005
【図４】
2020140471.tif 000006
【図５】
2020140471.tif 000007
【図６】
2020140471.tif 000008
【図７】
2020140471.tif 000009